(57)【特許請求の範囲】
【請求項１】
エレベーターかごに設置されたディスプレイに映像を配信するエレベーターの映像配信システムにおいて、
任意の映像をデジタル信号により出力する映像出力装置と、
前記映像出力装置から出力されたデジタル信号を圧縮しアナログ信号に変換して出力するダウンコンバータと、
前記エレベーターかごに設置され、送信されたアナログ信号をデジタル信号に変換し圧縮された画像信号を復元するアップコンバータと、
前記ダウンコンバータと前記アップコンバータとの間に延び、ダウンコンバータから出力されたアナログ信号をアップコンバータまで送信する同軸ケーブルを備え、
前記アップコンバータから出力されたデジタル信号をディスプレイに再生し、
前記映像出力装置およびダウンコンバータは機械室内に設置され、前記アップコンバータは前記エレベーターかご側に設けられて前記エレベーターかごとともに昇降することを特徴とするエレベーターの映像配信システム。
【請求項２】
前記エレベーターかごに設置され、前記アップコンバータから出力されたデジタル画像と、エレベーター情報画像の合成をおこなう画像合成装置を更に備えたことを特徴とする請求項１記載のエレベーターの映像配信システム。
【発明の詳細な説明】
【技術分野】
【０００１】
本発明は、エレベーターの映像配信システムに係り、とりわけエレベーターに設置されている同軸ケーブルからなる映像信号線を利用して、繊細な映像を表示することができるエレベーターの映像配信システムに関する。
【背景技術】
【０００２】
従来、ビルの情報やＤＶＤ画像等の外部映像をエレベーターかご内に設置されたディスプレイに表示させるエレベーターの映像配信システムが知られている。このような映像配線システムにおいて、映像出力装置からエレベーターかご内のディスプレイまで映像を送信する場合、同軸ケーブルが使用され、同軸ケーブルを用いてエレベーターかごに設置したディスプレイへＮＴＳＣ信号の映像を表示している。デジタルサイネージシステムやＤＶＤプレイヤーなど高品質なデジタル映像出力に対応した映像出力装置を使用する場合も、同軸ケーブルにて送信できるようにコンバータを用いてアナログのＮＴＳＣ信号に変換した映像を表示している。
【０００３】
従来のエレベーターの映像配信システムでは、ＮＴＳＣ信号に変換した映像をそのままエレベーターかごのディスプレイに表示していたため、地上デジタル放送等の高精細なデジタル映像が普及している今日では、特にディスプレイサイズが大きい場合に画像の劣化が目立ってしまう。
【０００４】
このため、特開２００２−３７５５５では、映像信号をデジタルデータ化しＬＡＮなどの通信網を介して、エレベーターかごまで配信することで映像の劣化を抑えるシステムが提案されている。
【０００５】
しかし、この方法では、ＬＡＮなどのデジタル通信が可能なテールコードを開発する必要がある。また、既に同軸ケーブルが設置されているエレベーターの場合には、ＬＡＮケーブルを追加したテールコードへの交換という大掛かりな工事が必要となり、またテールコードの重さが変わるため、エレベーター駆動装置の機器選定をやり直す必要があり、場合によってはモーターなどのエレベーター駆動装置の交換となることも考えられる。
【先行技術文献】
【特許文献】
【０００６】
【特許文献１】特開２００２−３７５５５号公報
【発明の概要】
【発明が解決しようとする課題】
【０００７】
本発明はこのような点を考慮してなされたものであり、エレベーターに設置されている同軸ケーブルを使用して、エレベーターかごに設置されたディスプレイに映像信号を送信することができ、かつより高品質な映像を表示することが可能なエレベーターの映像配信システムを提供することを目的とする。
【課題を解決するための手段】
【０００８】
本発明は、エレベーターかごに設置されたディスプレイに映像を配信するエレベーターの映像配信システムにおいて、任意の映像をデジタル信号により出力する映像出力装置と、前記映像出力装置から出力されたデジタル信号を圧縮しアナログ信号に変換して出力するダウンコンバータと、前記エレベーターかごに設置され、送信されたアナログ信号をデジタル信号に変換し圧縮された画像信号を復元するアップコンバータと、前記ダウンコンバータと前記アップコンバータとの間に延び、ダウンコンバータから出力されたアナログ信号をアップコンバータまで送信する同軸ケーブルを備え、前記アップコンバータから出力されたデジタル信号をディスプレイに再生することを特徴とするエレベーターの映像配信システムである。
【０００９】
本発明は、前記エレベーターかごに設置され、前記アップコンバータから出力されたデジタル画像と、エレベーター情報画像の合成をおこなう画像合成装置を更に備えたことを特徴とするエレベーターの映像配信システムである。
【００１０】
本発明は、エレベーターかご以外の場所に設置されたディスプレイに映像を配信するエレベーターの映像配信システムにおいて、任意の映像をデジタル信号により出力する映像出力装置と、前記映像出力装置から出力されたデジタル信号を圧縮しアナログ信号に変換して出力するダウンコンバータと、前記ディスプレイ近傍に設置され、送信されたアナログ信号をデジタル信号に変換し圧縮された画像信号を復元するアップコンバータと、前記ダウンコンバータと前記アップコンバータとの間に延び、ダウンコンバータから出力されたアナログ信号をアップコンバータまで送信する同軸ケーブルとを備え、前記アップコンバータから出力されたデジタル信号をディスプレイに再生することを特徴とするエレベーターの映像配信システムである。
【発明の効果】
【００１１】
本発明によれば、従来から使用されている同軸ケーブルを使用しながら高品質なデジタル画像をエレベーターかごのディスプレイに配信することが出来る。また、同軸ケーブルを使用することで、既に同軸ケーブルが設置されているエレベーターについては、テールコードに配線を追加する必要がないため、配線の追加によるエレベーター機器の再構築というリスクを考えることなく、簡単な工事のみで高品質な映像配信が可能となる。
【００１２】
またエレベーター情報画像と、同軸ケーブルを経由して配信されたデジタル画像を同じディスプレイに表示できるため、エレベーター利用者の利便性が向上する。
【００１３】
さらにエレベーター乗り場等のエレベーターかご以外の場所においても、エレベーターかごへの配信と同様に従来から使用されている同軸ケーブルを使って、高品質なデジタル画像を配信できる。特に、既に同軸ケーブルを使用してアナログ画像の配信を行っている物件においては、映像出力装置からディスプレイまで新たにデジタル画像配信用のケーブルを敷設するという大がかりな工事の必要がなく、簡単な工事で高品質なデジタル画像の配信が可能となる。
【図面の簡単な説明】
【００１４】
【図１】図１は本発明によるエレベーターの映像配信システムの第１の実施形態を示す全体構成図。
【図２】図２はダウンコンバータの構成例を示す図。
【図３】図３はアップコンバータの構成例を示す図。
【図４】図４は本発明によるエレベーターの映像配信システムの第２の実施形態を示す全体構成図。
【図５】図５は本発明によるエレベーターの映像配信システムの第３の実施形態を示す全体構成図。
【図６】図６は本発明によるエレベーターの映像配信システムの第４の実施形態を示す全体構成図。
【発明を実施するための形態】
【００１５】
第１の実施の形態
以下、図面を参照して本発明の実施の形態について説明する。図１乃至図３は本発明によるエレベーターの映像配信システムの第１の実施の形態を示す図である。
【００１６】
図１に示すように、エレベーターの映像配信システム１０Ａは、エレベーターかご６内に設置されたディスプレイ６に映像を配信するものである。
【００１７】
このようなエレベーターの映像配信システム１０Ａは、任意の映像をデジタル信号で出力する映像出力装置１と、映像出力装置１から出力されたデジタル信号を圧縮しアナログ信号に変換して出力するダウンコンバータ２と、エレベーターかご６に設けられ送信されたアナログ信号をデジタル信号に変換し圧縮された画像信号を復元するアップコンバータ５と、ダウンコンバータ２とアップコンバータ５との間に延び、ダウンコンバータ２から出力されたアナログ信号をアップコンバータ５まで送信する同軸ケーブル３とを備えている。この場合、ダウンコンバータ２は、エレベータかご６外部に設置されている。
【００１８】
そしてアップコンバータ５から出力されたデジタル信号が、エレベーターかご６内のディスプレイ７上に映像として再生される。
【００１９】
ここで映像出力装置１およびダウンコンバータ２はエレベーター６から離れた機械室（図示せず）内に設置され、アップコンバータ５はエレベーターかご６側であってエレベーターかご６外部に設けられ、このエレベーターかご６と伴に昇降するようになっている。
【００２０】
また映像出力装置１には、デジタルサイネージシステム、ＤＶＤプレイヤー、地上デジタル放送チューナー等が接続されている。
【００２１】
次に図２および図３によりダウンコンバータ２およびアップコンバータ３について詳述する。
【００２２】
ここで図２はダウンコンバータ２の一構成例を示すブロック図である。図２に示すように、ダウンコンバータ２は各種演算を行うＣＰＵ２１と、各種データの記憶を行うメモリ２２と、ＬＡＮコネクタ２３と、ＬＡＮコントローラ２４と、エンコーダ２５と、Ｄ／Ａコンバータ２６と、ＢＮＣコネクタ２７とを備えている。
【００２３】
映像出力装置１から出力されダウンコンバータ２内に入力されたデジタル画像信号は、ＬＡＮコネクタ２３およびＬＡＮコントローラ２４を介してエンコーダ２５に入力される。エンコーダ２５に入力されたデジタル画像信号はＭＰＥＧ２等の任意の画像圧縮アルゴリズムを用いて圧縮（符号化）され、圧縮されたデジタル信号はＤ／Ａコンバータ２６にて、アナログ信号に変換され、最後にＢＮＣコネクタ２７から同軸ケーブル３に出力される。
【００２４】
また図３はアップコンバータ５の一構成例を示すブロック図である。図３に示すように、アップコンバータ５は各種演算を行うＣＰＵ５１と、各種データの記憶を行うメモリ５２と、ＢＮＣコネクタ５３と、Ａ／Ｄコンバータ５４と、デコーダ５５と、ＤＶＩコネクタ５６とを備えている。
【００２５】
ダウンコンバータ２から出力されたアナログ信号は、同軸ケーブル３を通ってアップコンバータ５に入力され、次にアップコンバータ５に入力されたアナログ信号は、ＢＮＣコネクタ５３を介してＡ／Ｄコンバータ５４に入力され、Ａ／Ｄコンバータ５４にてアナログ信号からデジタル信号に変換される。その後、デコーダ５５にてエンコーダ２５と同様の画像圧縮アルゴリズムを用いて圧縮信号の復元（復号化）が行なわれ、復元されたデジタル画像信号はＤＶＩコネクタ５６からエレベーターかご６内に設置されたディスプレイ７に出力される。
【００２６】
次にこのような構成からなる本実施の形態の作用について説明する。
【００２７】
図１に示すように、エレベーター映像配信システム１０Ａにおいて、映像出力装置１からデジタル画像信号が出力され、このデジタル画像は、ダウンコンバータ２によって圧縮され、アナログ信号へ変換される。次にダウンコンバータ２からのアナログ信号が、ダウンコンバータ２からエレベーターかご６まで延びる従来から利用されている同軸ケーブル３によって送信され、このアナログ信号はエレベーターかご６に設置されたアップコンバータ５まで達する。アップコンバータ５において、アナログ信号がデジタル信号に変換され、さらに圧縮されている画像信号が復元され、次にデジタル画像がエレベーターかご６に設置されたディスプレイ７に表示される。
【００２８】
このように本実施の形態によれば、新たにデジタル信号を送信するテールコードを別途設ける必要がなく、従来から設置されている同軸ケーブル３を用いて高品質なデジタル画像製造を映像出力装置１からエレベーターかご６内のディスプレイ７まで配信することができる。このように、既設のエレベーターを用いて、テールコードへの配線の追加や配線の追加によるエレベーター機器の交換を考慮せずに、比較的簡単な工事だけで高品質なデジタル画像の配信が実現できる。
【００２９】
第２の実施の形態
次に図４により、本発明によるエレベーターの映像配信システムの第２の実施の形態について説明する。
【００３０】
なお、図４に示す第２の実施の形態において、図１乃至図３に示す第１の実施の形態と同一部分には同一符号を付して詳細な説明は省略する。
【００３１】
図４は本発明によるエレベーターの映像配信システムを示す全体構成図であって、複数台のエレベーターかごへ分配器を用いて映像配信を行うエレベーターの映像配信システム１０Ａを示す全体構成図である。
【００３２】
図４に示すように、複数台のエレベーターかご６ａ、６ｂが設置され、ダウンコンバータ２から出力されたアナログ信号は分配器４により複数の信号に分配される。分配器４で分配されたアナログ信号は各エレベーターかご６ａ、６ｂ、・・に接続された従来の同軸ケーブル３ａ、３ｂ、・・により送信される。各エレベーターかご６ａ、６ｂ、・・の外側にアップコンバータ５ａ、５ｂ、・・が設けられ、各エレベーターかご６ａ、６ｂ内に映像配信用のディスプレイ７ａ、７ｂ、・・が設置されている。
【００３３】
図４に示すエレベーター映像配信システム１０Ａにおいて、分配器４を用いてアナログ信号が分配され、分配されたアナログ信号は各エレベーターかご６ａ、６ｂ毎に設けられた同軸ケーブル３ａ、３ｂを経て各エレベーターかご６ａ、６ｂ、・・に分配される。そして各エレベーターかご６ａ、６ｂ、・・の外側に設置したアップコンバータ５ａ、５ｂ、・・によりアナログ信号に対してデジタル変換および圧縮画像の復元が行なわれる。このため複数のエレベーターかご６ａ、６ｂ、・・内に設置されたディスプレイ７ａ、７ｂに同一の高品質なデジタル画像を、従来と同じ同軸ケーブル３ａ、３ｂを使って配信することができる。
【００３４】
なお、図４に示す本実施の形態では分配器４とダウンコンバータ２はそれぞれ独立した構造をもっているが、ダウンコンバータ２に分配機能を持たせ、分配器４を削除してもよい。
【００３５】
第３の実施の形態
次に図５により本発明によるエレベーターの映像配信システムの第３の実施の形態について説明する。
【００３６】
図５に示す第３の実施の形態において、図１乃至図３に示す第１の実施の形態および図４に示す第２の実施の形態と同一部分には同一符号を付して詳細な説明は省略する。
【００３７】
図５は、本発明によるエレベーターの映像配信システムを示す全体構成図である。
【００３８】
図５において、エレベーターの映像配信システム１０Ａは図４に示す第２の実施の形態に加えて、故障、管制運転及び階床や運転方向といったエレベーター情報を蓄積するエレベーター制御盤８ａ、８ｂを有している。このエレベーター情報はエレベーター制御盤８ａ、８ｂからその時々のエレベーター運転状況に応じたエレベーター情報画像としてエレベーター画像出力装置９ａ、９ｂへ送られ、このエレベーター画像出力装置９ａ、９ｂにおいて保存される。次にエレベーター画像出力装置９ａ、９ｂ、・・からエレベーター情報画像が出力され、このエレベーター情報画像と、アップコンバータ５ａ、５ｂ、・・から出力されるデジタル画像がエレベーターかご６ａ、６ｂに設けられた画像合成装置１０ａ、１０ｂにより合成される。画像合成装置１０ａ、１０ｂにより合成された画像は、その後エレベーターかご６ａ、６ｂ内に設置されたディスプレイ７ａ、７ｂに再生される。
【００３９】
ところで図５に示すように、エレベーター画像出力装置９ａ、９ｂ、・・には、故障、管制運転及び階床や運転方向などのエレベーター情報画像が保存されており、エレベーター画像出力装置９ａ、９ｂ、・・はエレベーター制御盤８ａ、８ｂ、・・から平常運転中や地震管制運転中といったエレベーターの情報を受け取って、そのエレベーター運転状況に応じたエレベーター情報画像を画像合成装置１０ａ、１０ｂ、・・に出力する。
【００４０】
画像合成装置１０ａ、１０ｂ、・・は、エレベーター画像出力装置９ａ、９ｂ、・・から出力されるエレベーター情報画像と、アップコンバータ５ａ、５ｂ、・・から出力されるデジタル画像を、各種エレベーター運転状況に応じて合成し、ディスプレイ７ａ、７ｂ、・・に出力する。
【００４１】
図５に示すエレベーターの映像配信システム１０Ａにおいては、エレベーター画像出力部９ａ、９ｂからのエレベーター情報画像と、同軸ケーブル３、３ａ、３ｂ、・・を経由してアップコンバータ５ａ、５ｂへ配信されたデジタル画像を画像合成装置１０ａ、１０ｂにおいて、合成してディスプレイ７ａ、７ｂ、・・に表示することができる。
【００４２】
第４の実施の形態
次に図６により、本発明によるエレベーターの映像配信システムの第４の実施の形態について説明する。
【００４３】
図６に示す第４の実施の形態において、図１乃至図３に示す第１の実施の形態、および第４に示す第２の実施の形態と同一部分には同一符号を付して詳細な説明は省略する。
【００４４】
図６は、本発明による映像配信システムを示す全体構成図である。
【００４５】
図６において、エレベーターの映像配信システム１０Ａは、図４に示す第２の実施の形態に加えて、エレベーター乗り場１１に設置されたアップコンバータ１５と、ディスプレイ１７とを更に備え、分配器４とアップコンバータ１５との間は、同軸ケーブル１３により接続されている。このように図６において、エレベーターかご６ａ、６ｂ内にディスプレイ７ａ、７ｂが設置されるとともに、エレベーター乗り場１１にもディスプレイ１７が設置されている。
【００４６】
図６に示すエレベーターの映像配信システム１０Ａにおいては、分配器４と、エレベーター乗り場１１に設置されたアップコンバータ１５とを同軸ケーブル１３により接続することができ、エレベーター乗り場１１等、エレベーターかご６ａ、６ｂ以外の場所に設置されたアップコンバータ１５にも同軸ケーブル１３を使ってデジタル信号を送り、次にこのデジタル信号をエレベーター乗り場１１のディスプレイ１７に再生することができる。このため既設エレベーターで同軸ケーブル１３を使ってエレベーター乗り場１１や管理管理人室（図示せず）等に映像配信を行っている場合は、新たにデジタル画像配信用のケーブルを敷設するという大がかりな工事を必要とせず、既設の同軸ケーブル１３を使用して高品質なデジタル画像の配信を行うことができる。
【００４７】
特に、ビルやマンションなどで各階のエレベーター乗り場１１に映像配信を行っている場合、映像配信を行っている場所が多いほど、デジタル画像配信に切り替える際の本発明による効果は大きくなる。
【００４８】
なお、図６に示す本実施の形態では、エレベーター乗り場１１のディスプレイ１７にエレベーターかご６ａ、６ｂ内のディスプレイ７ａ、７ｂと同じデジタル画像を配信しているが、エレベーターかご６ａ、６ｂへの映像配信システムとは別に映像出力装置、ダウンコンバータ及び分配器を設置し、エレベーターかご６ａ、６ｂ内のディスプレイ７ａ、７ｂとエレベーター乗り場１１のディスプレイ１７にそれぞれ別のデジタル画像を配信してもよい。
【符号の説明】
【００４９】
１  映像出力装置
２  ダウンコンバータ
３、３ａ、３ｂ  同軸ケーブル
４  分配器
５、５ａ、５ｂ  アップコンバータ
６、６ａ、６ｂ  エレベーターかご
７、７ａ、７ｂ  ディスプレイ
８ａ、８ｂ  エレベーター制御盤
９ａ、９ｂ  エレベーター画像出力装置
１０Ａ  エレベーターの映像配信システム
１０ａ、１０ｂ  画像合成装置
１１  エレベーター乗り場
１３  同軸ケーブル
１５  アップコンバータ
１７  ディスプレイ
２１  ＣＰＵ
２２  メモリ
２３  ＬＡＮコネクタ
２４  ＬＡＮコントローラ
２５  エンコーダ
２６  Ｄ／Ａコンバータ
２７  ＢＮＣコネクタ
５１  ＣＰＵ
５２  メモリ
５３  ＢＮＣコネクタ
５４  Ａ／Ｄコンバータ
５５  デコーダ
５６  ＤＶＩコネクタ
【図１】
0005839901.tif 000002
【図２】
0005839901.tif 000003
【図３】
0005839901.tif 000004
【図４】
0005839901.tif 000005
【図５】
0005839901.tif 000006
【図６】
0005839901.tif 000007